(57)【特許請求の範囲】
【請求項１】
編柵用のネット構造体であって、法長方向にわたって敷設される複数本の紐状体に、編柵用ネットの幅方向の一端側を連結し、この編柵用のネットを編柵支柱を用いて法面上に立設させた状態で、このネットの倒れを防止するための第２の紐状体を、ネットの幅方向の他端側と上記の紐状体とにわたって連結して成ることを特徴とする編柵用のネット構造体。
【請求項２】
編柵用のネットに、等高線方向で適宜の間隔を隔てて編柵支柱を一体に設けて成る請求項１に記載された編柵用のネット構造体。
【請求項３】
請求項１または２に記載の編柵用のネット構造体を用いる有機廃棄物の処理工法であって、法面の法長方向に適宜の間隔を隔てて等高線方向に前記編柵用ネットによる柵を立設して、この柵の法面側に、柵と法面とによる三角状の凹入空間を形成し、この凹入空間に、有機廃棄物を細断した細断処理物を収容することを特徴とする有機廃棄物の処理工法。
【請求項４】
請求項１または２に記載の編柵用のネット構造体を用いる法面の緑化工法であって、法面の法長方向に適宜の間隔を隔てて等高線方向に前記編柵用ネットによる柵を立設して、この柵の法面側に、柵と法面とによる三角状の凹入空間を形成する一方、有機廃棄物を細断処理した細断処理物を、凹入空間とその直上の柵との間に緑化用のスペースを形成する状態で三角状の凹入空間に収容し、かつ、緑化用のスペースに植生工を施工することを特徴とする法面の緑化工法。
【発明の詳細な説明】
【０００１】
【発明の属する技術分野】
本発明は、編柵用のネット構造体と有機廃棄物の処理工法および法面の緑化工法に関する。
【０００２】
【従来の技術】
自然崩壊した山肌や痩せた山肌、その他、道路建設や宅地造成のために削り取られた山肌などの法面の緑化に際して、一般には、草本種子を配合した厚層基材の吹き付けなどによる植生工を法面に施工する形態がとられている。
【０００３】
この他にも、法面の周辺景観との調和や早期の永続的な安定化、自然界への回復などを図る上で、木本種子を配合した厚層基材の吹き付けによる植生工や、木本苗を移植する植生工を法面に施工して、いわゆる樹林化によって法面を緑化させる形態もとられるようになっている。
【０００４】
【発明が解決しようとする課題】
この内の法面の樹林化に際しては、種子から発芽・生育した木本苗や、移植した木本苗は、その初期の生育が遅いことから、周域に生育する雑草や、特に生育の早い牧草などの草本植物によって被圧を受け易く、木本苗を確実に、しかも健全に生育させることが困難であった。
【０００５】
一方、例えば道路建設や宅地造成などの工事によって発生する廃棄物は、その現場で処理することが原則的であって、現場からの持ち出しが禁止されていると言っても過言ではなく、特に大量に発生する伐採木やその根株の現場での処理に苦慮しているのが現状である。
【０００６】
ここに至って、有機廃棄物である伐採木や根株を細かくチップ化して、この細断処理物を、法面の緑化資材として再利用することが試みられたのであるが、この細断処理物を法面の全面に層状に撒くにしても、移動流亡などを考慮した場合、その厚みには限度があることから、使用量は少なく限られるのであった。
【０００７】
また、細断処理物が年を経て腐食するまでの間に、周辺の土壌から窒素分を消費して、いわゆる窒素飢餓現象が生じることから、木本苗の生育はもとより、草本種の生育までもが阻害される点で問題があった。
【０００８】
【０００９】
本発明は、前記有機廃棄物の大量処理工法あるいは前記有機廃棄物を大量に処理しての法面の緑化工法を用いる上で、頗る好適な編柵用のネット構造体を提供することを目的としている。
【００１０】
【課題を解決するための手段】
請求項１記載の発明は、編柵用のネット構造体であって、法長方向にわたって敷設される複数本の紐状体に、編柵用ネットの幅方向の一端側を連結し、この編柵用のネットを編柵支柱を用いて法面上に立設させた状態で、このネットの倒れを防止するための第２の紐状体を、ネットの幅方向の他端側と上記の紐状体とにわたって連結して成ることを特徴とする編柵用のネット構造体を提供する。
好適には、編柵用のネットに、等高線方向で適宜の間隔を隔てて編柵支柱を一体に設けることであって（請求項２）、かゝる構成のネット構造体によれば、複数枚の編柵用ネットを備えるものであっても、ネットどうしを互いに重ね合わせて巻き取ることで、これをコンパクトに纏めることができるのであって、運搬車などによる大量搬送が可能になるばかりか、軽量であることから、人為的な持ち運びや取り扱いが楽になる利点がある。
そして、編柵に際しては、例えばネット構造体を法面の上方に持ち込んで、等高線方向で複数本の紐状体を法長方向に向けるようにして、ネット構造体を法面の上方から下方に向けて展開し、かつ、支柱を用いて編柵用のネットを立ち上げて、紐状体を適宜にアンカー等で法面に固定することで、編柵用のネットによる柵が、第２の紐状体による倒れ防止の状態で法面上に形成されるのであり、ネット構造体が複数枚の編柵用ネット備える場合は、ネットによる柵が法面上に吊り棚の如くして現出されることになる。
尚、上記の編柵支柱を編柵用のネットに一体化させることなく、支柱とネットとを別々に用意して、この両者を例えばスティプラーを用いて一体化させるようにしてもよく、或いは、一体化の前に支柱を法面に立設して、この支柱に例えばスティプラーを用いてネットを止着するようにしてもよく、その他、支柱挿入用の袋編み部をネットに備えて、この袋編み部に支柱を挿入し、この支柱を法面に立設にしてもよいのである。
いずれにしても、編柵用のネットは、その幅方向の一端側が法面の凹凸に馴染むように撓んで、法面上に柵を構成するのであって、従って、この柵と法面との間の三角状の凹入空間に有機廃棄物の細断処理物を収容し、かつ、緑化用のスペースに植生工を施工することで、有機廃棄物の大量処理と同時に、法面の緑化施工の工事を完了できるのである。
【００１１】
請求項３記載の発明は、請求項１または２に記載の編柵用のネット構造体を用いる有機廃棄物の処理工法であって、法面の法長方向に適宜の間隔を隔てて等高線方向に前記編柵用ネットによる柵を立設して、この柵の法面側に、柵と法面とによる三角状の凹入空間を形成し、この凹入空間に、有機廃棄物を細断した細断処理物を収容する点に特徴がある。
【００１２】
上記の工法によれば、編柵数を多くするほど、また、編柵の高さを高くするほど、多数の大きな三角状の凹入空間が法面上に階段状に形成されるのであって、この三角状の凹入空間に有機廃棄物の細断処理物を収容することで、細断処理物を法面に層状に撒くに比較して、大量の細断処理物を安定的に、工事現場の法面内に保持させることができる。
【００１３】
そして、三角状の凹入空間に収容された細断処理物は、降雨による雨滴の衝撃を緩和し、法面表土の移動流亡を防止する機能を発揮することから、法面の侵食も効果的に防止される。
【００１４】
請求項４記載の発明は、請求項１または２に記載の編柵用のネット構造体を用いる法面の緑化工法であって、法面の法長方向に適宜の間隔を隔てて等高線方向に前記編柵用ネットによる柵を立設して、この柵の法面側に、柵と法面とによる三角状の凹入空間を形成する一方、有機廃棄物を細断処理した細断処理物を、凹入空間とその直上の柵との間に緑化用のスペースを形成する状態で三角状の凹入空間に収容し、かつ、緑化用のスペースに植生工を施工する点に特徴がある。
【００１５】
上記の工法によれば、有機廃棄物の細断処理物を安定的に且つ大量に、緑化対象現場の法面内に保持できると共に、細断処理物によって法面の侵食が効果的に防止されることは既述した通りである。
【００１６】
これに加えて、細断処理物の収容域を特定して、有機廃棄物による窒素飢餓現象の発生域を制限させるようにした上で、緑化用のスペースに植生工を施工することから、緑化のために導入した植物は、窒素飢餓現象による障害を受けることなく、良好に生育するようになる。
【００１７】
更には、細断処理物が法面流下水を減殺して、法面全体の保水性を向上させることから、また、細断処理物は、やがては腐食して土壌と同化し、これが養分になることから、植物の健全なる生育が促進されるようになり、法面の確実なる緑化を図ることができる。
【００１８】
特に、上記の緑化スペースに樹木導入の植生工を施工する場合は、細断処理物が被圧防止用のマルチング材になることから、種子から発芽・生育した木本苗や移植した木本苗は、被圧を受け難くなる結果、木本苗の健全かつ確実なる生育を期することができるのであり、やがては法面の樹林化が達成されるのであって、この発明によれば、厄介ものの有機廃棄物の大量処理と法面の緑化とが効果的に達成されるのである。
【００１９】
【００２０】
【００２１】
【００２２】
【００２３】
【００２４】
【００２５】
【発明の実施の形態】
以下、本発明の実施の形態を図面に基づいて説明する。図１は本発明にかゝる編柵用のネット構造体１を示し、このネット構造体１は、有機廃棄物の処理工法や緑化工法に用いられるもので、法長方向にわたって敷設される複数本の紐状体２に、等高線方向で長い矩形状のフレキシブルな編柵用ネット３の幅方向の一端側を連結し、この編柵用のネット３を編柵支柱４を用いて法面上に立設させた状態で、このネット３の倒れを防止するための第２の紐状体５を、ネット３の幅方向の他端側と上記の紐状体２とにわたって連結して成る。
【００２６】
具体的には、法長方向での編柵用ネット３の配備枚数やネット３の大きさ、紐状体２の本数や敷設ピッチ、長さ寸法などは一切特定されるものではないが、一体あたりのネット構造体１の単位長さを１０ｍとして、これを法面Ｎに配備させるものとして、このネット構造体１の一体の製造について説明すると、先ずは、法長方向の長さを１０ｍとした５本の紐状体２を、等高線方向で５０〜６０ｃｍのピッチで敷設するものとして、このピッチに合わせて、長さを２００〜２４０ｃｍとし、幅を５０〜７０ｃｍとした編柵用のネット３の１０〜７枚を用意するのである。
【００２７】
そして、特に一致させる必要はないのであるが、紐状体２の敷設ピッチに合わせるように、例えばスティプラーを用いて、編柵用ネット３の長さ方向の両端部とその間とに５本の編柵支柱４を止着し、この編柵支柱４の一端側またはその近傍のネット部分を、上記５本の紐状体２に対してネット３の例えば幅寸法の２倍のピッチ（１００〜１４０ｃｍ）で連結する。
【００２８】
一方、上記の紐状体２とは別に、第２の紐状体５を、ネット３の１枚あたりについて５本を用意して、この第２の紐状体５を、上下のネット３，３間の紐状体２の中央部分と、編柵支柱４の他端側またはその近傍のネット部分とにわたって連結し、必要に応じて第３の紐状体６を用意して、これを等高線方向に向けて紐状体２，５の連結部に連結するのである。
【００２９】
以上をもってネット構造体１の一体が製造されるのであり、例えば法面の緑化に際しては、複数枚の編柵用ネット３を互いに重ね合わせて、これを巻き取ってネット構造体１をコンパクトに纏め、このネット構造体１を法面の緑化対象現場に搬送して、このネット構造体１を、例えば人手によって適宜に法面の緑化対象域に持ち上げて、法面の緑化施工に備えるのである。
【００３０】
一方、緑化対象の現場では、その現場で発生した伐採木や根株といった有機廃棄物を、粉砕機などを用いて、例えば長さが１〜２０ｃｍで太さが１〜３ｃｍ程度のチップ状に細断処理して、この細断処理物ａを緑化対象域の適宜の場所にストックしておくのである。
【００３１】
そして、図２に示すように、緑化対象域に持ち上げたネット構造体１を、それの紐状体２の敷設ピッチを特定させる状態で、かつ、３０ｃｍ程度のアンカー７ａを用いて、紐状体２の上端側を法面Ｎに固定し、このネット構造体１を法面Ｎの下方に向けて展開させて、例えば３本の紐状体２，５，６の連結部や、編柵用ネット３と紐状体２との連結部などを、同じく３０ｃｍ程度のアンカー７ｂを用いて法面Ｎに固定し、編柵用のネット３を立ち姿勢に切り換えるのである。
【００３２】
この時、編柵用のネット３には、第２の紐状体５が連結されていることから、編柵用ネット３の法面下方への倒れ込みは防止されるのであって、編柵用のネット３は、その立ち姿勢を自己保持するのであり、かつ、編柵用のネット３は、フレキシブルであることから、その幅方向の一端側が法面Ｎの凹凸に旨く馴染むのであって、法面Ｎ上には、１０〜７枚の編柵用ネット３による１０〜７個の柵Ａが吊り棚の如くして現出されることになる。
【００３３】
ここで、ネット構造体１の複数体を、それの編柵用ネット３を等高線方向で互いに連ねるように設置する際に、隣り合う編柵用ネット３，３を、例えばスティプラーを用いて直接的に連結してもよいのであるが、施工性の面からは、隣り合う編柵用ネット３，３間に作業通路を形成することが望まれる。
【００３４】
このことから、図示は省略するが、隣り合う編柵用のネット３，３間に、例えば５０ｃｍ程度の作業通路を形成するように、ネット構造体１を設置する一方、作業通路を塞ぐためのネットを別途用意して、このネットを、適当な作業工程を見計らって、その一部を編柵用ネット３，３に重ね合わせる状態で、スティプラーを用いてネットどうしを連結させる形態をとることが好ましい。
【００３５】
このようにして、編柵用のネット３による吊り棚状の柵Ａを法面Ｎ上に現出させることで、この柵Ａの法面Ｎ側には、柵Ａと法面Ｎとによる１０〜７個の三角状の凹入空間Ｑが形成されるのであって、この凹入空間Ｑとその直上の柵Ａとの間に緑化用のスペース（この実施の形態では、編柵用ネット３の幅を５０〜７０ｃｍにして、法長方向において、この幅寸法の２倍のピッチで、編柵用ネット３を紐状体２に連結していることから、スペース幅は５０〜７０ｃｍ程度であるが、３０〜１００ｃｍ程度に設定してもよい。）Ｓを形成する状態で、上記のストックした細断処理物ａを三角状の凹入空間Ｑに収容すると共に、植生のスペースＳに緑化用の植生工を施工することで、有機廃棄物の大量処理と同時の法面緑化工を完了するのである。
【００３６】
尚、ネット構造体１を、それの編柵用ネット３を等高線方向で互いに連ねるように設置することに限られるものではなく、三角状の凹入空間Ｑが法面Ｎ上で市松状を呈するように、ネット構造体１ひいては編柵用ネット３の配置位置を、法長方向で異ならせてもよいのである。
【００３７】
上記の緑化用の植生工として、この実施の形態では、図３に示すように、木本種子ｂ１と肥料と保水剤と土壌改良剤をパルプ系の内袋８ａに充填し、これの複数本をポリエチレンの外袋８ｂに収容して縫製した植生マット８を用いて、この植生マット８を緑化用のスペースＳに配置し、かつ、釘止めするマット工の施工形態をとっているが、図４に示すように、法面Ｎにネット構造体１を施工する前に、必要に応じて、合成樹脂製のネットや金属製のラス金網、ネットなどの網状体９を法面２上に張設して、この網状体９を覆うように、木本種子ｂ１を配合した厚層基材８Ａを吹き付ける形態をとってもよいのである。
【００３８】
また、図５に示すように、法面Ｎに苗植え付け用の凹部Ｎａを形成する一方、別の場所で栽培させた樹木のポット苗を用意して、木本苗ｂ２をポットｃから取り出し、この木本苗ｂ２を凹部Ｎａに植え付けたり、ポットｃが腐食性の材料である場合は、ポットｃごと木本苗ｂ２を凹部Ｎａ植え付けたりする植生工の施工形態であっもよいのであり、上記の木本種子ｂ１に代えて草本種子を選択してもよいのである。
【００３９】
木本種子ｂ１または木本苗ｂ２として、クヌギ、シャリンバイ、アラカシ、ネズミモチ、ケヤキ、アカマツ、クロマツ、ナナカマド等々が任意に選択され、草本種子としては、稲科の禾本系植生を含めて、短草の牧草種子や花の種子などが適宜に選択される。
【００４０】
牧草種子としては、ホワイトクローバー、クリーピングレッドフェスク、レッドトップ、バミューダーグラス、ケンタッキーブルーグラス等が好適に選択されるが、木本種子ｂ１または木本苗ｂ２は、草本によって被圧を受けることから、草本種子と併せての植生工は避けるものとする。
【００４１】
上記の工法によれば、編柵Ａの数を多くするほど、また、編柵Ａの高さを高くするほど、等高線方向に向けて法面Ｎ上に、多数の大きな三角状の凹入空間Ｑが階段状に形成される。
【００４２】
従って、緑化対象現場で発生した厄介ものの細断処理物ａを、この緑化対象現場の法面Ｎに大量かつ安定的に戻すことが可能となる。また、細断処理物ａが雨滴の衝撃を緩和して、法面表土の移動流亡を防止することから、法面Ｎの侵食が効果的に防止されるようになり、保水性の向上も達成される。
【００４３】
そして、窒素飢餓現象を生じる細断処理物ａの収容域を特定して、この部位を除くスペースＳに緑化用の植生工を施工することから、また、上記したように保水性も向上することから、緑化用の植物は良好に生育するようになる。
【００４４】
特に、上記のスペースＳに樹木導入の植生工を施工する場合は、細断処理物ａが被圧防止用のマルチング材になることから、木本種子ｂ１から発芽・生育した木本苗や移植した木本苗ｂ２は、被圧を受け難くなって、確実かつ健全に生育するのであり、加えて、細断処理物ａは、やがては腐食して土壌と同化し、これが養分になることから、植物の健全なる生育が促進されるようになる。
【００４５】
このようにして、例えば５年ほどの年月を経ると、木本苗ｂ２が樹木化して、木本群落が階段状の柵Ａを覆い隠すようになることから、法面Ｎを直下から見た場合あるいは遠目で見た場合の見栄えが良好なものとなり、厄介ものの有機廃棄物の大量処理と同時に、樹木導入による法面Ｎの緑化が効果的に達成されるのである。。
【００４６】
尚、道路建設や宅地造成などの工事現場で発生した有機廃棄物の処理だけを目的とする場合は、緑化用のスペースＳに対する植生工の実施が省略されるが、この場合は、周辺の郷土種子が上記のスペースＳに飛来して、ここで発芽・生育することで、法面Ｎは、草本によってベルト状に自然緑化されることになる。
【００４７】
或いは、緑化を期する必要がないならば、柵Ａの高さを更に高くし、又は／及び、法長方向での柵Ａの成長ピッチを小さくして、上記のスペースＳをなくすほどに、より大量の細断処理物ａを三角状の凹入空間Ｑに収容させてもよいのである。
【００４８】
上記の構成にかゝるネット構造体１では、編柵用のネット３による柵Ａは、法面Ｎに対して直角の立ち姿勢となるが、この柵Ａの法面Ｎに対する立ち姿勢の角度は、第２の紐状体５の長さ設定によって任意に変更可能である。
【００４９】
即ち、法面Ｎの傾斜角度によっては異なるものの、第２の紐状体５の長さを短くした場合は、図６に示すように、編柵用のネット３による柵Ａを鉛直の立ち姿勢にするネット構造体１を得ることができる。
【００５０】
この構成のネット構造体１によれば、緑化用のスペースＳの鉛直上に柵Ａが存しないことから、法面Ｎの緑化用に木本苗ｂ２を導入した場合、木本苗ｂ２は、柵Ａに阻害されることなく、真っ直ぐに成長するようになる。
【００５１】
尚、上記の紐状体２と編柵用ネット３との材質は、エコロジー面からは、腐食して土壌と同質化する分解性のポリエチレンやポリプロピレンなどの合成樹脂製であることが望ましいが、これに限られるものではなく、例えば編柵用のネット３として、これを金属製のラス金網やパンチングメタル、非腐食性の硬質または軟質の合成樹脂製ネットなどに置き換えて実施可能である。
【００５２】
別の実施の形態によるネット構造体１を図７に示している。この実施の形態によるネット構造体１は、例えば図４を参照して、厚層基材８Ａの吹き付けを対象にする上で好適な構成のものである。
【００５３】
具体的には、編柵用ネット３の周囲と長さ方向の中央部とに、編柵の支柱４を兼ねる矩形状の保形部材１０を設ける一方、法面Ｎ上に張設される法長方向で長い網状体９の内、例えば幅方向の両側と中央の網糸を、法長方向にわたって敷設される複数本の紐状体２と見做して、この紐状体２，５，６に編柵用ネット３の幅方向の一端側を連結し、このネット３の倒れを防止するための第２の紐状体５を、ネット３の幅方向の他端側と上記の紐状体２とにわたって連結して成る。
【００５４】
尚、図１及び図７に示したネット構造体１では、その一体あたりのネット構造体１に対して１０〜７枚の編柵用ネット３を備えて、法面Ｎへの設置状態で１０〜７個の三角状の凹入空間Ｑを形成するように構成しているが、編柵用ネット３の枚数ひいては三角状の凹入空間Ｑの個数は、これに限られるものではなく、一体あたりのネット構造体１に対して編柵用ネット３の１枚だけを備えて、一体あたりのネット構造体１に対して、三角状の凹入空間Ｑの１個の構成するようにしてもよい。
【００５５】
これまでの実施の形態では、編柵Ａの構造体１として、コンパクトであって、軽量で且つ取り扱いの面で優れたネット構成のものを採用した。図８は参考例としての木柵Ａの構造体１を示している。
【００５６】
具体的には、長さが１ｍ程度の例えば間伐材などを編柵用の支柱４として、この支柱４を、等高線方向に例えば１〜２ｍの間隔を隔てて、かつ、５０ｃｍ程度の深さで法面Ｎに埋め込み、この等高線方向の支柱４，４にわたって、例えば伐採木による帯鞘１１を積み重ねるように配置して、細断処理物ａを収容するための三角状の凹入空間Ｑを形成する柵Ａを構成し、この三角状の凹入空間Ｑに細断処理物ａを収容すると共に、この上方の緑化用のスペースＳに植生工を施工する法面緑化の形態をとってもよいのである。
【００５７】
別の参考例としては、図９に示すように、上記の例えば伐採木に代えて、網状体を帯鞘１１とし、この帯鞘１１を等高線方向で間隔を隔てる支柱４，４にわたって掛け渡して、細断処理物ａの収容柵Ａを構成してもよいのである。
【００５８】
尚、上記のスペースＳに対する植生工の施工を実施しないで、有機廃棄物の細断処理物ａの処理のみの工法を実施可能である。
【００５９】
【発明の効果】
以上説明したように、請求項１記載の発明によれば、有機廃棄物の大量処理工法あるいは有機廃棄物を大量に処理しての法面の緑化工法に用いる上で、頗る好適な編柵用のネット構造体が提供される。
【００６０】
【００６１】
【図面の簡単な説明】
【図１】  編柵用のネット構造体の展開状態を示す斜視図である。
【図２】  大量の有機廃棄物の処理と両立させての植生マットによる植生工の施工説明図である。
【図３】  植生マットの断面斜視図である。
【図４】  大量の有機廃棄物の処理と両立させての厚層基材の吹き付けによる植生工の施工説明図である。
【図５】  大量の有機廃棄物の処理と両立させての木本苗の導入による植生工の施工説明図である。
【図６】  編柵用のネットによる編柵の鉛直配置の形態を示すネット構造体の断面図である。
【図７】  法面に張設する網状体に編柵用のネットを備えた別の実施の形態によるネット構造体の斜視図である。
【図８】  参考例による編柵構造体の施工状態を示す斜視図である。
【図９】  更に別の参考例による編柵構造体の断面図である。
【符号の説明】
１…ネット構造体、２…紐状体、３…編柵用のネット、４…編柵支柱、５…第２の紐状体、ａ…有機廃棄物の細断処理物、Ａ…柵、Ｎ…法面、Ｑ…三角状の凹入空間、Ｓ…緑化用のスペース。
【図１】
0004628565.tif 000002
【図２】
0004628565.tif 000003
【図３】
0004628565.tif 000004
【図４】
0004628565.tif 000005
【図５】
0004628565.tif 000006
【図６】
0004628565.tif 000007
【図７】
0004628565.tif 000008
【図８】
0004628565.tif 000009
【図９】
0004628565.tif 000010